(57)【要約】【課題】  収納が容易で全長が不用意に長くなることがなく、更には、場合によってコンパクトに折り曲げることをできる除毛機能付きヘアブラシを提供する。【解決手段】  ベース部材１１の基部に梳きピン１２が植設されていない無梳きピン領域１４を設けると共に、無梳きピン領域１４の一部を中心として回動し、直線状に配列された梳きピン１２が嵌入する長孔１８を備え、梳きピン１２が長孔１８に嵌入した状態でベース部材１１に密着する除毛部材１５を設け、しかも、ベース部材１１と除毛部材１５には、除毛部材１５がベース部材１１に密着した場合に、除毛部材１５とベース部材１１との密着を保持する係合手段２１が設けられている。【選択図】        図１
0003111268.tif 000002
【実用新案登録請求の範囲】
【請求項１】
ベース部材と、該ベース部材に基部側から先部側にかけて直線状にかつ複数列並んだ状態で植設された複数の梳きピンと、該ベース部材の基側に連結された把手とを有するヘアブラシにおいて、
前記ベース部材の基部に前記梳きピンが植設されていない無梳きピン領域を設けると共に、該無梳きピン領域の一部を中心として回動し、前記直線状に配列された梳きピンが嵌入する長孔を備え、前記梳きピンが前記長孔に嵌入した状態で前記ベース部材に密着する除毛部材を設け、しかも、前記ベース部材と前記除毛部材には、該除毛部材が前記ベース部材に密着した場合に、該除毛部材と前記ベース部材との密着を保持する係合手段が設けられていることを特徴とする除毛機能付きヘアブラシ。
【請求項２】
請求項１記載の除毛機能付きヘアブラシにおいて、前記ベース部材及び前記把手は合成樹脂によって、前記除毛部材は金属板によってそれぞれ構成され、前記除毛部材の基部に対となって形成された軸受板部が、前記無梳きピン領域の一部に位置し前記ベース部材の両側から突出する対となる突起にそれぞれ嵌入して、前記除毛部材が前記係合手段を介して前記ベース部材に密着係合することを特徴とする除毛機能付きヘアブラシ。
【請求項３】
請求項２記載の除毛機能付きヘアブラシにおいて、前記把手は前記ベース部材の基側に折り畳み可能に連結されていることを特徴とする除毛機能付きヘアブラシ。
【請求項４】
請求項３記載の除毛機能付きヘアブラシにおいて、前記係合手段は、前記除毛部材の先部に実質的に直角に折れ曲がって形成され、しかも中央部分には板厚方向にに膨出する突出部が設けられた凸側係合部と、前記ベース部材の先端に形成され、前記除毛部材を前記ベース部材に密着させた場合に前記凸側係合部が嵌入する凹側係合部とを有して構成されていることを特徴とする除毛機能付きヘアブラシ。
【考案の詳細な説明】
【技術分野】
【０００１】
本考案は、例えば人の髪やペット（犬、猫、その他の哺乳動物をいう）の毛の手入れを行う場合に使用する除毛機能付きヘアブラシに関する。
【背景技術】
【０００２】
頭髪の手入れをする場合、又はペット等の毛の手入れや掃除を行う場合には、一般にヘアブラシが使用されている。このヘアブラシには大量の毛髪やペットの毛が付着するので、それを掃除をするためのヘアブラシが、例えば特許文献１、２で開示されている。即ち、この特許文献１、２には、ヘアブラシの梳きピンが嵌入する複数の長孔が設けられている除毛板（抜け毛除去用ブラシ毛カバー）が梳きピンを覆って設けられ、この除毛板によって、梳きピン（ブラシ毛）間に溜まった毛髪やペットの毛を除去している。
【０００３】
【特許文献１】実開平４−４５４２８号公報
【特許文献２】実開平６−４６５２８号公報
【考案の開示】
【考案が解決しようとする課題】
【０００４】
しかしながら、特許文献１に記載の除毛板付きヘアブラシは、把手部（即ち、手で持つ部分）と複数の梳きピンを所定間隔で配置するベース部材とを一体化した長尺の柄を有し、この柄の基側（即ち、把手部の基側）に除毛板が回動可能に設けられているので、除毛板の全長が長くなり、強度的に弱くなる。ここで、強度的に強くしようとすると、使用する部材を丈夫にする必要があるので、全体として大型化し重量が重くなるという問題がある。また、除毛板が把手部の基部に設けられているので、ベース部材に対して把手部を折り曲げて小型化することが困難となる。
【０００５】
一方、特許文献２に記載のものは、ブラシ毛フレーム上に、ブラシ毛（梳きピン）が嵌入する長孔又は丸孔を設けた抜け毛除去用カバーを被せ、ブラシ毛に毛髪等が引っ掛かった場合には、抜け毛除去用カバーを取り外して毛髪等を除去する構造となっているが、ブラシ毛フレームと抜け毛除去用カバーとが別物となっているので、例えば抜け毛除去用カバーを無くし易いという問題がある。更には、常時は抜け毛除去用カバーをブラシ毛フレームに固定する必要があるが、ブラシ毛フレームの両側に溝を設け、その溝に抜け毛除去用カバーの両端を固定する構造となっているので、その取付け及び取り外しが面倒であるという問題がある。
【０００６】
そこで、図３に示すように、梳きピン５０を植設するベース部材５１の先端部に、複数列に並んだ梳きピン５０がそれぞれ嵌入する長孔５３を形成した除毛板５４を回動可能に取付け、更に、ベース部材５１の基部にピン５５を介して回動する把手部５６を設けた除毛機能付きヘアブラシ５８も提案されるが、除毛板５４が開くと全長が長くなって、扱い難いという問題がある。更には、除毛機能付きヘアブラシ５８に付着したゴミ等を手動で振り払おうとする場合、除毛板５４が勝手に開いてしまうという問題がある。
更には、把手部５６を折り曲げる場合には、必ず除毛板５４をベース部材５１に被せた後、次に把手部５６を折り曲げる必要があり、この順序を間違えると、折り曲げようとする把手部５６に、除毛板５４が衝突し、結果として、収納時の操作が面倒であるという問題がある。
本考案はかかる事情に鑑みてなされたもので、収納が容易で全長が不用意に長くなることがなく、更には、場合によってコンパクトに折り曲げることのできる除毛機能付きヘアブラシを提供することを目的とする。
【課題を解決するための手段】
【０００７】
前記目的に沿う第１の考案に係る除毛機能付きヘアブラシは、ベース部材と、該ベース部材に基部側から先部側にかけて直線状にかつ複数列並んだ状態で植設された複数の梳きピンと、該ベース部材の基側に連結された把手とを有するヘアブラシにおいて、
前記ベース部材の基部に前記梳きピンが植設されていない無梳きピン領域を設けると共に、該無梳きピン領域の一部を中心として回動し、前記直線状に配列された梳きピンが嵌入する長孔を備え、前記梳きピンが前記長孔に嵌入した状態で前記ベース部材に密着する除毛部材を設け、しかも、前記ベース部材と前記除毛部材には、該除毛部材が前記ベース部材に密着した場合に、該除毛部材と前記ベース部材との密着を保持する係合手段が設けられている。
【０００８】
なお、ここで、除毛部材に設けられた長孔は、先端部が開放する切欠き構造となっているものも含む。また、ベース部材と把手とは一体的に構成されているものの他、分離して回動可能に連結されているものを含む。
そして、無梳きピン領域の一部とは、把手が連結された基部側、梳きピンに近い側、又はその中間位置のいずれであってもよい。
更に、梳きピンは、ベース部材に突出して形成される多数の金属製又は合成樹脂製のピン（梳ピン）を含む。
【０００９】
また、第２の考案に係る除毛機能付きヘアブラシは、第１の考案に係る除毛機能付きヘアブラシにおいて、前記ベース部材及び前記把手は合成樹脂によって、前記除毛部材は金属板によってそれぞれ構成され、前記除毛部材の基部に対となって形成された軸受板部が、前記無梳きピン領域の一部に位置し前記ベース部材の両側から突出する対となる突起にそれぞれ嵌入して、前記除毛部材が前記係合手段を介して前記ベース部材に密着係合する。
【００１０】
第３の考案に係る除毛機能付きヘアブラシは、第２の考案に係る除毛機能付きヘアブラシにおいて、前記把手は前記ベース部材の基側に折り畳み可能に連結されている。
そして、第４の考案に係る除毛機能付きヘアブラシは、第３の考案に係る除毛機能付きヘアブラシにおいて、前記係合手段は、前記除毛部材の先部に実質的に直角に折れ曲がって形成され、しかも中央部分には板厚方向に膨出する突出部が設けられた凸側係合部と、前記ベース部材の先端に形成され、前記除毛部材を前記ベース部材に密着させた場合に前記凸側係合部が嵌入する凹側係合部とを有して構成されている。
【考案の効果】
【００１１】
請求項１〜４記載の除毛機能付きヘアブラシは、ベース部材の基部に梳きピンが植設されていない無梳きピン領域を設けると共に、無梳きピン領域の一部を中心として回動し、直線状に配列された梳きピンが嵌入する長孔を備え、梳きピンが長孔に嵌入した状態でベース部材に密着する除毛部材を設けているので、髪の毛やペットの毛を梳いて、毛が梳きピンに付着した場合には、係合手段を解いて除毛部材をベース部材から離すようにして回動させると、梳きピンに付着していた毛を除去できる。
この場合、除毛部材は、ベース部材の基部に形成されている無梳きピン領域の一部を中心として回動するので、除毛部材をベース部材に密着させた状態であっても、除毛部材をベース部材から離して回動させた状態でも、この除毛機能付きヘアブラシの全長が長くなることはない。
更に、梳きピンに付着した毛やゴミを除去しようとして、除毛機能付きヘアブラシの把手を持って激しく振った場合であっても、除毛部材が突然開いて全長が長くなり、近くに置いてある台や机等にぶつけて除毛機能付きヘアブラシを破損する事故も生じない。
そして、除毛部材がベース部材に密着した場合に、除毛部材とベース部材との密着を保持する係合手段が設けられているので、髪の毛やペットの毛が挟まりにくく、髪の毛やペットの毛を梳く場合に、除毛部材が開いて除毛部材が障害となることがない。
【００１２】
特に、請求項２記載の除毛機能付きヘアブラシは、ベース部材及び把手は合成樹脂によって、除毛部材は金属板によってそれぞれ構成され、除毛部材の基部に対となって形成された軸受板部が、無梳きピン領域の一部に位置しベース部材の両側から突出する対となる突起にそれぞれ嵌入して、除毛部材がベース部材に密着係合する構造となっているので、製造が容易で、かつ丈夫である。
【００１３】
請求項３記載の除毛機能付きヘアブラシは、把手がベース部材の基側に折り畳み可能に連結されているので、コンパクトに除毛機能付きヘアブラシを収納することができる。
特に、この除毛機能付きヘアブラシにおいては、把手の折り曲げ方向と除毛部材の回動方向が同じであるので、除毛部材をベース部材へ密着させる場合に、除毛部材と把手が干渉することがなく、更には、把手を折り曲げると自動的に除毛部材も回動するので、収納作業が更に容易になる。
【００１４】
そして、請求項４記載の除毛機能付きヘアブラシは、係合手段が、除毛部材の先部に実質的に直角に折れ曲がって形成され、しかも中央部分には板厚方向に膨出する突出部が設けられた凸側係合部と、ベース部材の先端に形成され、除毛部材をベース部材に密着させた場合に凸側係合部が嵌入する凹側係合部とを有して構成されているので、その構造が簡単であると共に、除毛部材の先部をベース部材に係合させて保持しているので、比較的小さな保持力で除毛部材を保持でき、更には、除毛部材をベース部材から外して梳きピンに付着した毛を除去する場合には、比較的簡単に係合手段の保持状態を解くことができる。
【考案を実施するための最良の形態】
【００１５】
続いて、添付した図面を参照しつつ、本考案を具体化した実施の形態につき説明し、本考案の理解に供する。
ここで、図１（Ａ）は本考案の一実施の形態に係る除毛機能付きヘアブラシの斜視図、（Ｂ）は同一部拡大断面図、図２は同除毛機能付きヘアブラシの除毛板を持ち上げた状態の斜視図である。
【００１６】
図１（Ａ）、図２に示すように、本考案の一実施の形態に係る除毛機能付きヘアブラシ１０は、ベース部材１１と、ベース部材１１に基部側から先部側にかけて直線状にかつ複数列（この実施の形態では３列）並んだ状態で植設された複数（多数）の梳きピン１２と、ベース部材１１の基側に回動自在に連結された把手１３と、ベース部材１１の基部に設けられた無梳きピン領域１４の一部を中心にして回動する除毛部材の一例である除毛板１５とを有している。以下、これらについて詳細に説明する。
【００１７】
ベース部材１１とこれに植設されている梳きピン１２とは合成樹脂素材（例えば、ポリプロピレン、ポリカーボネイト等）によって一体成形されている。ベース部材１１の基部には、同じく合成樹脂製の把手１３が軸受部１６を介して回動自在に連結されている。この把手１３は開いた時には、ベース部材１１と把手１３とが直線状になり、かつその状態を維持する図示しない保持手段（即ち、簡易ロック手段）が軸受部１６に設けられている。保持手段は、例えば把手１３の先側に設けられた高さの低い突起が軸受部１６の内側に設けられた凹みに嵌入する構造であっても、他の構造であってもよいが、何れも周知の手段である。なお、１７は軸受部１６の軸受ピンを示す。
把手１３の全長はベース部材１１の全長と略同一となって、把手１３を折り曲げた場合には、ベース部材１１に重なるようになっている。
【００１８】
除毛板１５はステンレス等の板材からなって、ベース部材１１と略同じ長さを有している。除毛板１５には、直線状に並んだ複数列の梳きピン１２が嵌入する長孔１８を有している。ベース部材１１の基側は軸受部１６を有すると共に、梳きピン１２が植設されていない無梳きピン領域１４を有し、この無梳きピン領域１４の中間位置の両側に突出するピン状の突起１９に除毛板１５の基部両側に折れ曲がってそれぞれ形成される軸受板部２０が嵌入している。
このようにして、除毛板１５の長孔１８に梳きピン１２を嵌入させた状態で除毛板１５をベース部材１１に密着させる構造となっているが、除毛板１５をベース部材１１に密着させた状態で、その状態を保持する係合手段２１がベース部材１１と除毛板１５に設けられている。
【００１９】
この係合手段２１は、図１（Ｂ）に示すように、除毛板１５の先部に実質的に直角に折れ曲がって形成され、しかも中央部分には板厚方向に膨出する突出部が設けられた凸側係合部２２と、ベース部材１１の先端に形成され、除毛板１５をベース部材１１に密着させた場合に凸側係合部２２が嵌入する凹側係合部２３とを有して構成されている。
なお、凸側係合部をベース部材１１に、凹側係合部を除毛板１５に形成してもよい。この場合、凹側係合部は孔であってもよい。
【００２０】
この除毛機能付きヘアブラシ１０を使用する場合には、把手１３を開いて、ベース部材１１と把手１３とを直線状にする。この位置で簡易ロック手段が作用し、ベース部材１１と把手１３とが直線状になった状態を保持する。そして、除毛板１５はベース部材１１に密着させておく。この状態では係合手段２１が働いて、この状態を保持する。
以上の状態で、除毛機能付きヘアブラシ１０が使用状態となり、使用によって毛髪やペットの毛が梳きピン１２に付着する。
【００２１】
梳きピン１２に付着した毛髪等を除去する場合には、除毛板１５とベース部材１１との係合状態を解いて、除毛板１５をその基部を中心にして回動させる。これによって、梳きピン１２間に付着していた毛髪等は除去される。この場合、除毛板１５をベース部材１１に密着させた状態で、把手１３を持って強く振っても、除毛板１５はベース部材１１に密着した状態を保持できる。
この除毛機能付きヘアブラシ１０を収納する場合には、把手１３を折り曲げれば、自動的に除毛板１５も回動し、除毛板１５と把手１３とが干渉することはない。
【００２２】
前記実施の形態においては、把手がベース部材に回動可能に連結されていたが、ベース部材と把手とを一体構造とすることもできる。
また、直線状に並んだ梳きピンの列は、この実施の形態においては３列であったが、２列又は４列以上であってもよく、各列の梳きピンの本数が異なる場合であっても、本考案は適用される。
更に、除毛板はこの実施の形態ではステンレス（金属の一例）で構成したが、コスト削減のため十分強度を有するプラスチックで構成することもできる。
【図面の簡単な説明】
【００２３】
【図１】（Ａ）は本考案の一実施の形態に係る除毛機能付きヘアブラシの斜視図、（Ｂ）は同一部拡大断面図である。
【図２】同除毛機能付きヘアブラシの除毛板を持ち上げた状態の斜視図である。
【図３】従来例に係る除毛機能付きヘアブラシの斜視図である。
【符号の説明】
【００２４】
１０：除毛機能付きヘアブラシ、１１：ベース部材、１２：梳きピン、１３：把手、１４：無梳きピン領域、１５：除毛板、１６：軸受部、１７：軸受ピン、１８：長孔、１９：突起、２０：軸受板部、２１：係合手段、２２：凸側係合部、２３：凹側係合部
【図１】
0003111268.tif 000003
【図２】
0003111268.tif 000004
【図３】
0003111268.tif 000005